(57)【要約】【課題】写真画像か又はビデオクリップのような画像のライブラリを管理する新たな方法を提供する。【解決手段】画像のライブラリから画像のサブセットを作成する方法であって、前記ライブラリ内において前記画像の画像プリントのセットが存在し、各プリントは、メモリタグ内に格納された前記画像のディジタルデータを有する該メモリタグに関連付けられることからなる、方法である。該方法は、要求される画像を特定するステップと、リーダを使用して、関連するメモリタグから、サブセット内に含まれることになる各画像のディジタルデータを読み出すステップと、画像データの選択されたサブセットを所望の位置にダウンロードするステップとを含む。【選択図】図４
2006127476.tif 000002
【特許請求の範囲】
【請求項１】
画像のライブラリから画像のサブセットを作成する方法であって、
前記ライブラリ内において、前記画像の画像プリントのセットが存在しており、
各画像プリントは、メモリタグ内に格納された前記画像のディジタルデータを有する該メモリタグに関連付けられており、
該方法は、
要求される画像を特定するステップと、
リーダを使用して、前記関連するメモリタグから、前記サブセット内に含まれることになる各画像のディジタルデータを読み出すステップと、
画像データの選択されたサブセットを所望の場所にダウンロードするステップ
とを含むことからなる、方法。
【請求項２】
前記サブセット内に含まれることになる前記画像の前記ディジタルデータは、該画像が該サブセット内に現れるはずの順序で前記メモリタグから読み出されることからなる、請求項１に記載の方法。
【請求項３】
各要求される画像を特定する前記ステップと、その画像の前記ディジタルデータを読み出すステップとは、画像データの前記選択されたサブセットが完成するまで、関連付けられた各画像について順番に実行されることからなる、請求項１又は２に記載の方法。
【請求項４】
要求される画像を特定する前記ステップと、該画像の前記ディジタルデータを読み出すステップとは、前記サブセットの全ての画像について一度に実行されることからなる、請求項１又は２に記載の方法。
【請求項５】
前記リーダは、事前にプログラムされて、前記関連するメモリタグから前記ディジタルデータを読み出すステップを開始する前に、請求項１乃至４のいずれかに記載の方法を実行することからなる、請求項１乃至４のいずれかに記載の方法。
【請求項６】
前記ライブラリ内の前記画像は、静止画像であり、該画像のプリントは、該静止画像からのものであることからなる、請求項１乃至５のいずれかに記載の方法。
【請求項７】
前記ライブラリ内の前記画像は、各々が複数のフレームからなるビデオクリップであり、該画像のプリントは、該ビデオクリップを代表するものであることからなる、請求項１乃至６のいずれかに記載の方法。
【請求項８】
ビデオクリップを代表する画像の各プリントは、それぞれのビデオクリップを構成する前記フレームのサブセットを含むことからなる、請求項７に記載の方法。
【請求項９】
請求項１乃至８のいずれかに記載の方法を実施するためのリーダであって、該方法が開始される前に、所定数の画像についてのディジタルデータを読み出すために、事前にプログラムされることが可能である、リーダ。
【請求項１０】
前記リーダはまた、メモリタグから前記データが読み出されることになる、前記所定数の該メモリタグの場所と共に、事前にプログラムされることが可能である、請求項９に記載のリーダ。
【請求項１１】
前記リーダはまた、画像データの前記選択されたサブセットが、照合されるとダウンロードされることになる場所と共に、事前にプログラムされることが可能である、請求項９又は１０に記載のリーダ。
【発明の詳細な説明】
【技術分野】
【０００１】
本発明は、画像のライブラリから画像のサブセットを作成する方法に関する。ここで、各画像は、ディジタル形式で且つ物理的な形式で格納される。本発明は、主として、写真画像とビデオクリップとでの用途が意図されるが、そのような用途に限定されるものではない。
【背景技術】
【０００２】
ディジタル写真撮影が出現する以前は、ほとんどの写真画像は、ネガ及び／又は画像プリント（イメージプリント）として保管された。画像のライブラリを維持し且つ使用することを支援するために、単一シート上に、フィルムからの各写真の小型のプリントを含んでいるインデックスプリントが、頻繁に製作された。しかしながら、ディジタル写真撮影の出現によって、且つ、写真をスキャンしてそれらを電気的に格納する能力によって、例え伝統的な（従来の）方法を用いたとしても、保管オプション（又は保管の選択の自由度）が劇的に増加した。
【０００３】
多くの場合には、写真の全ライブラリは、コンピュータのハードディスク上に単純に格納されるが、他の場合には、それらは、フロッピーディスクか又はＣＤのようなリムーバブルな記憶媒体上に格納される。しかしながら、このことは、とりわけフロッピーディスクが使用される時には、非常に多くのリムーバブルな記憶媒体を使用する必要がある場合が多く、ユーザがある特定の画像を探し出してそのコピーをプリントすることを望む時には、その特定の画像を見つけ出すことが問題となる可能性がある。
【０００４】
この問題は、カメラ内で使用された記憶媒体の内容が、より長期間にわたって保管されたものについて、コンピュータにダンプされる時のような、ディジタル的に撮影された写真によって、悪化させられる可能性がある。該記憶媒体の内容は、それらがカメラ内の記憶媒体内に存在する順序で単純にダンプされる場合が多い。撮影された全ての写真が保持されていた場合には、それらの写真は少なくとも写真が撮影された順序である。しかしながら多くの場合は、いくつかの画像が、撮影された後のある時にレビューされて削除され、カメラ内の記憶媒体内のこれらの「スロット」が、後に再利用されている状態である。このことによって、カメラ内の記憶媒体内と、コンピュータのハードディスク内におけるか又はリムーバブルな記憶媒体内における長期間にわたって保管されたものの中との両方において、結果として画像が不連続に（順番通りでなく）格納されている状態となる。
【０００５】
従って、近年においては、そのような画像ライブラリからの画像の選択及びプリントのための様々な代替システムが、提案されてきた。しかしながら、その提案されたシステムはどれも、現在までのところ、そのようなライブラリの管理を、それほど簡単にはさせない。
【特許文献１】米国特許第６，３６３，２３９号明細書
【特許文献２】欧州特許第１，０７６，３１６号明細書
【非特許文献１】Klaus Finkenzeller著、「the RFID Handbook」、1999年、Joh Wiley & Sons
【発明の開示】
【発明が解決しようとする課題】
【０００６】
本発明の目的は、写真画像か又はビデオクリップのような画像のライブラリを管理する新たな方法を提供することである。
【課題を解決するための手段】
【０００７】
本発明の一態様によれば、画像のライブラリから画像のサブセットを作成する方法が提供される。前記ライブラリ内において画像の画像プリント（イメージプリント）のセットが存在しており、各プリントが、メモリタグ内に格納された画像のディジタルデータを有する該メモリタグに関連付けられる。該方法は、要求される画像を特定するステップと、リーダ（reader）を使用して、関連するメモリタグから、サブセット内に含まれることになる各画像のディジタルデータを読み出すステップと、画像データの選択されたサブセットを所望の場所（又は位置）にダウンロードするステップとを含む。
【０００８】
無線周波数識別（ＲＦＩＤ）タグの形態のメモリタグは、従来技術において周知である。ＲＦＩＤタグには多くの形態のものがあるが、大抵のものが、使用時における情報が中に格納されることが可能なメモリを含む集積回路と、該回路が、リーダによってワイヤレスに情報を問い合わせることを可能にするコイルとを備える。該リーダはまた、誘導（ワイヤレス）結合の手段によって該回路に電力供給する。メモリタグの多くの使用法は既知であり、それらのうちのいくつかは、画像に関するデータの保管（又は格納）に関連する。
【０００９】
例えば、Eastman Kodak Companyは、写真画像の用途がおそらく意図される画像に関連するアプリケーションの範囲を提案している。欧州特許第１０７６３１６号Ａ２において、単一画像プリントは、該単一画像プリントに結合されたメモリタグを有する。該メモリタグは、該プリントに関するデータを格納する。該データは、画像が処理されてプリントされたやり方と、ファイル名とに関して記載されている。該ファイル名の下に、フル画像データが、（コンピュータ内か又は他のより大容量の記憶媒体のような）別の場所において格納される。米国特許第６，３６３，２３９号Ｂ１において、単一画像プリントに結合されたメモリタグを有する該単一画像プリントが記載されている。該メモリタグは、該プリントに関連する音声データを格納する。これらの特許文献の両方において、単一メモリタグが、関連付けられた単一画像に関するデータの保管のために適していない場合には、特にプリント基体（又は下地、又は基板）上の同じ位置のスタック内において複数のメモリタグを使用することができることが提示されている。
【００１０】
本発明は、ディジタル画像の保管（又は記憶、又は保存）の管理に関連して、ＲＦＩＤ技術における、及び実際には任意の他のメモリタグ技術における開発を、実際に利用する際に援助を提供する。
【００１１】
好適には、サブセット内に含まれることになる画像のディジタルデータは、画像がサブセット内に現れるはずの順序でメモリタグから読み出される。
【００１２】
各々の要求される画像を特定するステップと、その画像のディジタルデータを読み出すステップとを、画像データの選択されたサブセットが完成するまで、関連付けられた各画像について、順番に実行することができる。
【００１３】
しかしながら、要求される画像を特定するステップと、画像のディジタルデータを読み出すステップとを、サブセットの全ての画像について一度に実行することもできる。
【００１４】
リーダを事前にプログラムして、関連するメモリタグからディジタルデータを読み出すステップを開始する前に、本方法を実行することができる。
【００１５】
ライブラリ内の画像は、静止画像とすることができ、その場合には、該画像のプリントは、該静止画像からのものである。代替として、ライブラリ内の画像は、各々が複数のフレームからなるビデオクリップとすることができ、その場合には、該画像のプリントは、該ビデオクリップの代表（又は見本）である。ビデオクリップの代表の画像の各プリントは、好適には、それぞれのビデオクリップを構成するフレームのサブセットを含む。
【００１６】
本発明の第２の態様によれば、本発明の第１の態様の方法を実施するためのリーダが提供される。ここで、リーダを事前にプログラムして、前記方法が開始される前に、所定数の画像についてのディジタルデータを読み出すことができる。
【００１７】
リーダはまた、メモリタグからデータが読み出されることになる、所定数の該メモリタグの場所と共に、事前にプログラムされることが可能である。
【００１８】
リーダはまた、画像データの選択されたサブセットが照合されるとダウンロードされることになる場所と共に、事前にプログラムされることが可能である。
【００１９】
本発明の例が、単なる例示を目的として、添付図面に関連して次に説明される。
【発明の効果】
【００２０】
写真画像か又はビデオクリップのような画像のライブラリを管理する新たな方法が提供される。
【実施例】
【００２１】
本発明による方法は、ライブラリ内における画像を代表する物理的なプリントが管理されることを必要とし、各プリントされた画像が、その画像のディジタル形式を含むデータを含むメモリタグに関連付けられることを必要とする。メモリタグからデータを読み出して、次いで別のメモリタグか又は別のコンピュータのような別の場所に該データを書き込むか又はダウンロードするように動作可能なリーダ／ライタもまた必要である。
【００２２】
本発明の方法を実施するために使用される物理的なプリントは、多数の形態をとることができ、それらのうちのいくつかが、次に説明される。
【００２３】
図１を参照すると、基体（又は下地、又は基板）１２上に複数の画像Ｉを含むインデックスプリント１０が、概略的に図示されている。基体１２のエリアは、鎖線によって示されるように、画像エリアＡと枠Ｂとに名目上分割される。各画像エリアＡは、その中にプリントされた画像Ｉを有することができ、この場合には、エリアＡ１〜Ａ１１は、それぞれ画像Ｉ１〜Ｉ１１を有しており、エリアＡ１２〜Ａ１５は、それらの中にプリントされた画像を有しておらず、空白のままである。画像Ｉは、特定のサイズか又は相対的な寸法からのものではなく、望みに応じて変化させられる。しかしながら、それらは全て同じサイズからなることもできる。各エリアＡは、画像Ｉをその中に配置し、基体１２に結合している。この場合、各エリアＡの右上には、メモリタグＴが配置されている。該メモリタグＴは、従って、基体１２上に規則的なアレイを形成する。
【００２４】
インデックスプリント１０は、画像Ｉの容易に使用可能な記録（レコード）として提供されて、これらの画像と、同じコレクション内か又はライブラリ内に含まれる可能性のある他の画像との管理を支援する。画像Ｉは、基体１２上にプリントされて（低解像度でプリントされることが都合が良いが、それらを高解像度でプリントすることもできる）、各画像Ｉに関連するデータが、対応するメモリタグＴ内に格納される。最小限としてのデータは、おそらくは高解像度フォーマットにおける（しかしながら、任意の所望のフォーマットとすることもできる）フル画像データを含み、画像が形成された時からのカメラ設定、光レベル等のような画像に関するデータと、それがどこで撮影されたか、それが何についての画像であるか等のような情報とを更に含むことできるが、選択された任意のデータをメモリタグＴ内に格納することもできる。
【００２５】
結合された基体１２とメモリタグＴとは、プリント記憶媒体１４、すなわち、可視プリント形式とディジタル形式との両方における複数の画像に関連するデータの保管に特に適合された物理的な記憶媒体を形成する。
【００２６】
次に図２を参照すると、代替の形態のインデックスプリント１６が概略的に図示されている。インデックスプリント１６は、インデックスプリント１０に類似して、鎖線によって示されるように画像エリアＡ及び枠Ｂへと名目上分割された基体１８上に複数の画像Ｉを含む。各エリアＡは、その中にプリントされた画像Ｉを有することができ、この場合には、エリアＡ１’〜Ａ４’、Ａ６’〜Ａ８’、Ａ１０’〜Ａ１２’ 、及びＡ１４’〜Ａ１６’は、それぞれ画像Ｉ１’〜Ｉ４’、Ｉ６’〜Ｉ８’、Ｉ１０’〜Ｉ１２’ 、及びＩ１４’〜Ｉ１６’を有しており、エリアＡ５’、Ａ９’ 、及びＡ１３’は、画像を有しておらず、空白のままである。画像を含むエリアはまた、各々の中にメモリタグＴを有する。しかしながら、これらのメモリタグＴは、必ずしも全てが、それらが配置されているエリアＡに関して同じ場所に配置されているわけではなく、むしろそれらが関連付けられる画像Ｉに関して同じ場所に配置される。すなわち、メモリタグＴが全て、それぞれの画像Ｉの右下に配置され、従って、画像Ｉが縦向きフォーマット（portrait format）であるか又は横向きフォーマット（landscape format）であるかどうかに依存して、エリアＡ内におけるそれらの位置が、関連付けられた画像Ｉの配向に依存する。インデックスプリントのこのバージョンにおいて、画像のないこれらのエリアは、メモリタグＴを含まない。
【００２７】
結合された基体１８とメモリタグＴとは、プリント記憶媒体１４に関して上で述べたように、プリント記憶媒体２０を形成する。
【００２８】
このような類のインデックスプリントに対する更なる変更は、図２内に示されるように、基体の枠内に配置されたメモリタグＴＢを提供することである。このメモリタグＴＢは、その中に、インデックスプリント１６における画像Ｉのリスト、及び適切であればメモリタグＴの位置を含むインデックスプリント１６上における画像Ｉのそれぞれの位置のような、インデックスプリント１６に関する全体としてのデータが都合良く格納されていることになる。
【００２９】
都合の良いことに、インデックスプリントの全てのバージョンに関して、各メモリタグＴの位置に可視アイコンがプリントされる。これにより、インデックスプリントのユーザが、それらからデータを読み出すために探し出す時には、メモリタグＴを容易に特定することができる。このことは、ユーザがハンドヘルドリーダを使用している場合に特に有益である。
【００３０】
明らかに、プリントされた画像ＩとメモリタグＴとの相対位置を変化させることによって、且つ、メモリタグＴ内に格納されるデータの形式を変化させることによって、他の形態のインデックスプリントを形成することができる。更には、物理的なプリントは、（バルク（又は嵩、又は容量）が含まれることに起因して）格納することに、及びそれと共に作業することに対して、例え非常に不都合であろうとも、各シートに添付された関連付けられたメモリタグを有する該各シート上にプリントされた単一画像の形態をとることができる。
【００３１】
ライブラリ内における画像は、静止写真か、又は図面、地図、アートワーク、書籍もしくは他の出版物等のページのレイアウトのような他の静止画像とすることができ、この場合には、上述のように、各画像のプリントは、最も都合が良く画像自体を簡単に表示するであろう。しかしながら、画像は、ビデオクリップとすることもでき、その各々は、複数のフレームを含む。この場合には、各画像のプリントは、ビデオクリップを構成するフレームのサブセットの形態をとる可能性が最も高いであろう。この形態は、単純に最初のフレームのみとすることができるか、又は例えば最初の数フレームか５フレーム毎か或いは最初及び最後のフレームのような任意の適切に代表となるサブセットとすることができる。該画像がビデオクリップである場合には、メモリタグは、ビデオクリップ全体を含むことになる。
【００３２】
メモリタグＴと、関連付けられた読み出し／書き込み装置２４との動作が、図３に関連して簡単に次に説明される。メモリタグＴは、アンテナコイルＬ１と、アンテナコイルＬ１に並列に接続されて共振回路を形成するコンデンサＣ１とを備える。メモリタグＴは、メモリＭ１と、処理及び電力回路Ｐ１とを更に備える。読み出し／書き込み装置２４は、アンテナコイルＬ２と、共振回路を形成するためにアンテナコイルＬ２と並列なコンデンサＣ２と、処理及び信号発生回路Ｐ２と、オンボードメモリＭ２と、通信ユニットＣＵとを備える。
【００３３】
Ｐ２内における信号発生器は、２．４５ＧＨｚのような選択された動作周波数における信号を発生し、この信号は、アンテナコイルＬ２に印加され、従って、電磁界を発生させる。メモリタグＴに提供される該電磁界は、読み出し／書き込み装置２４に十分に近づけられて、メモリタグＴのアンテナコイルＬ１を通り抜ける。従って、電磁誘導によって、電圧がアンテナコイルＬ１内に生成され、この電圧は、回路Ｐ１内において整流させられて、メモリタグＴに電力供給するために使用される。コンデンサＣ１及びＣ２の静電容量は、送信信号強度と受信信号強度とを最大化するために、共振回路が両方とも、信号発生器によって生成された周波数において共振するように選択される。
【００３４】
読み出し／書き込み装置２４によって、データがメモリタグＴに書き込まれることになる時には、Ｐ２内で生成された無線周波数信号が変調される。例えば、アンテナコイルＬ２に印加される前のデータによって振幅変調されて、送信される。誘導結合によってメモリタグＴにより受信された信号は、従って、メモリタグＴに電力供給すると共に、メモリタグＴと伝達し合い、回路Ｐ１は、搬送波からデータ信号を切り離し、保管するためのデータをメモリＭ１へと送る。
【００３５】
同様に、本発明におけるように、データがメモリタグＴから読み出されることになる場合には、回路Ｐ１は、データを示す信号をアンテナコイルＬ１に印加し、その信号が、誘導結合の結果としてアンテナコイルＬ２によって検出されて、一時的な記憶のためのオンボードメモリＭ２に送られる前に、回路Ｐ２内において解読される。この信号を、例えば、負荷変調を使用して送信することができる。このようなＲＦＩＤシステムにおいて、メモリタグＴによって消費される電力を、読み出し／書き込み装置２４のアンテナコイルＬ２の内部抵抗の両端の電圧降下として測定することができる。回路Ｐ１内における負荷抵抗を、オンとオフとに切り替えることができ、従って、メモリタグＴによって消費される電力を変化させて、次いでその電力は、読み出し／書き込み装置２４のアンテナコイルＬ２の両端の電圧の振幅変調として検出される。
【００３６】
読み出し／書き込み装置２４内へと読み込まれたデータを、コンピュータか又は代替の記憶デバイス（図示せず）にダウンロードすることが望まれる時には、読み出し／書き込み装置２４は、例えばドッキングステーションを使用してか、又は赤外線或いはブルートゥースのようなワイヤレスシステムを介して、通信ユニットＣＵを使用してそのようにダウンロードするように動作可能である。
【００３７】
ＲＦＩＤタグの動作に関する更なる詳細に関して、リーダが、非特許文献１に参照される。
【００３８】
従って、メモリタグＴとの通信が、読み出し／書き込み装置２４を介することが理解されよう。読み出し／書き込み装置２４は、多くの形態をとることができるが、本発明の実施形態の場合に最も都合が良い形態は、ハンドヘルドのペンタイプの装置である可能性がある。上述のようなオンボードメモリを有する代りに、読み出し／書き込み装置を、コンピュータに直接接続することができる。これにより、読み出し／書き込み装置２４によって読み出される全てのものが、コンピュータのメモリ内か、又は関連付けられた（ＣＤか又はＤＶＤのような）記憶媒体内に自動的に格納されることとなる。
【００３９】
好適には、本発明の実施形態の場合に使用される読み出し／書き込み装置２４はまた、小型のＬＣＤ画面のようなディスプレイを含む。メモリタグから何が読み出されたかをチェックする目的のために、本発明の方法を実施中に、該ディスプレイ上に、読み出されている画像を表示することができる。
【００４０】
本発明による方法が、次に説明される。
【００４１】
ユーザが、画像のライブラリから画像のサブセットを作成することを望む場合には、該ユーザは、上述のインデックスプリントのコレクションのような画像の物理的な記録を取り出して、該ユーザが、必要とする画像を特定するために、該物理的な記録に目を通す。該ユーザが、要求される第１の画像を特定した時には、該ユーザは、読み出し／書き込み装置２４を使用して、関連付けられたメモリタグＴの内容を読み出す。該ユーザは、次いで、要求される第２の画像を特定し、読み出し／書き込み装置２４を使用して、関連付けられたメモリタグＴの内容を読み出す。このプロセスは、該ユーザが、要求される画像の全てを所望の順序で特定し、読み出し／書き込み装置２４のメモリＭ２内へと関連付けられたメモリタグＴの内容を読み出すまで続く。
【００４２】
メモリＭ２は、要求された順序での、画像の要求されたサブセットについてのデータを含むことになる。従って、読み出し／書き込み装置２４は、画像のサブセットについてのデータを、メモリＭ２から、コンピュータのような要求された場所へと、ダウンロードするように動作させられる。この方法は、図４内に示される。
【００４３】
読み出し／書き込み装置が、オンボードメモリを含まないが代りにコンピュータに接続される類のものである場合には、画像のサブセットについてのデータは、従って、コンピュータのメモリ内に存在することになる。
【００４４】
図４内に示されるような、上記方法は、形成されることになる画像のサブセット全体についてのデータを格納するために、読み出し／書き込み装置２４のオンボードメモリＭ２が、十分大きいことを想定している。しかしながら、もしもそうでない場合には、サブセットを一連のバッチで（又は一連の単位で）作成することが必要である可能性があり、本発明の第２の実施形態は、図５内に示されるようにこの可能性を含む。
【００４５】
恐らくは他の使用法と共に本使用法について特に意図されている読み出し／書き込み装置２４は、開始されると介入が最小限となる方法を実行するために事前にプログラムされることが可能である。例えば、読み出し／書き込み装置２４が、所定数、例えば８つの画像のセットを照合することに使用されることを、ユーザがリーダに対して入力することができるように、リーダをプログラムすることができる。従って、ユーザは、読み出し／書き込み装置２４を、正しい順番で関係付けられた８つのメモリタグＴの近くに単純に保持することになる。これにより、８つの画像を読み出し／書き込み装置２４内へと読み込むことができるようになる。従って、読み出し／書き込み装置２４は、そのメモリ内に所定数の画像を有していることになるため、サブセットがダウンロードされてしまうまで、従って開始されたタスクが終了するまでの期間は、たとえ誤って更なるメモリタグＴの近くに保持されたとしても、それ以上どのデータも読み出さないことになる。
【００４６】
本発明の実施形態の場合に使用される読み出し／書き込み装置２４は、上述のようにハンドヘルドである必要はなく、むしろ他の形態をとることができることに留意すべきである。例えば、それは、装置の中にインデックスプリントが提供される該装置であって、そのようなインデックスプリント（複数可）の各々における関連するメモリタグ（複数可）の内容を要求された順序で読み出すように指示されることができる該装置を含むことができる。上述の事前プログラミングの使用法は、この形態の読み出し／書き込み装置２４での用途に特に適しており、この形態の読み出し／書き込み装置２４を、コンピュータによって容易に制御することができる。この形態の読み出し／書き込み装置２４は、プリンタ／スキャナと類似の方法で該コンピュータに接続される。この場合には、ユーザが読み出し／書き込み装置２４を各メモリタグＴに順序通りに移動させることよりもむしろ、データの読み出しが開始される前に、データが読み出されることになるメモリタグＴの認証と位置とが、独立型（スタンドアローン）の場合には読み出し／書き込み装置２４へと、又は適宜コンピュータへと入力されることになる。次いで、読み出し／書き込み装置２４が、本方法の実施形態を実行することになる。事前プログラミングはまた、一旦作成された画像データのサブセットがダウンロードされるべき場所を含むこともできる。
【００４７】
本方法は、読み出し／書き込み装置２４を使用して実施されている状態で説明されているが、当然のことながら、本方法は、必ずしも一旦照合されたデータの書き込みを必要とせず、むしろ任意の手段によってダウンロードするので、リーダであることに関連した装置についてのみが必要であることにも留意すべきである。
【００４８】
ライブラリから特定の順序で画像のサブセットを作成することを望む可能性がある多くの理由が存在する。従って、選択的に取り込み、そうする際にユーザ自身による順番での連続する画像を作成するユーザの能力は、多くの様々な可能性と有用な用途とを有する。以下は、多くの可能な例のうちのいくつかである。すなわち、パーソナルスライドショーを作成することを目的として、お気に入りの写真のセットを取り込んで（電子フォトフリップブックのように）ＰＤＡ内か又は電話内に入れて持ち歩くことを目的として、友人のコレクションから写真を取り込んで持ち去ることを目的として、写真のサブセットを作成して家族か又は友人に電気的に送信することを、或いは、新たなそれまでと異なって編成された写真のアーカイブを単純に作成して別の場所に格納することを目的として、画像のサブセットを（例えばプリンタに直接接続することによって）プリントするために画像のサブセットを取り込むことができる。
【００４９】
本発明の説明において、画像という用語が使用されてきた。何故ならば、本発明の最も可能性の高い使用法は、通常このような様式で説明されるデータのセットに関連するためである。しかしながら、該用語は非常に広範囲な意味において使用されることが理解されるべきである。「画像」は、実際には、データの任意のセットとすることができる。
【図面の簡単な説明】
【００５０】
【図１】本発明を実施することができる、インデックスプリントの第１のバージョンを概略的に示す図である。
【図２】本発明を実施することができる、インデックスプリントの第２のバージョンを概略的に示す図である。
【図３】本発明を実施することができる、メモリタグと読み出し／書き込み装置とを概略的に示す図である。
【図４】本発明による方法の第１の実施形態のフローチャートである。
【図５】本発明による方法の第２の実施形態のフローチャートである。
【符号の説明】
【００５１】
２４  読み出し／書き込み装置
【図１】
2006127476.tif 000003
【図２】
2006127476.tif 000004
【図３】
2006127476.tif 000005
【図４】
2006127476.tif 000006
【図５】
2006127476.tif 000007